(57)【要約】【課題】  動画像の階調輝度特性を高速、且つ簡便な構成に補正し、高品質の動画像を表示する。【解決手段】  ルックアップテーブル選択回路８は、ＣＰＵ１２の制御の下、動画像を構成する一連の表示画像のうち第１表示画像の次に表示される第２表示画像に対応する第２ルックアップテーブルを、複数のルックアップテーブルから選択し、発光デューティ制御回路１１は、ＣＰＵ１２の制御の下、動画像を構成する表示画像のうち連続して表示される表示画像間の階調輝度特性の差が小さくなるように、表示パネル部２が有する画素部の発光デューティを制御する。【選択図】  図１
2006145718.tif 000002
【特許請求の範囲】
【請求項１】
複数の走査線と、複数のデータ線と、前記走査線と前記データ線との交差に対応して各々設けられ、動画像を表示すべく夫々発光可能である複数の画素部を備えた電気光学装置を駆動するための電気光学装置の駆動回路であって、
前記動画像を構成する一連の表示画像のうち第１表示画像の次に表示される第２表示画像に対応する第２ルックアップテーブルを、複数のルックアップテーブルから選択するルックアップテーブル選択手段と、
前記第１表示画像に対応する第１ルックアップテーブルを前記選択された第２ルックアップテーブルに切り換える際に、前記複数の画素部の発光デューティを動的に制御する発光デューティ制御手段と
を備えたことを特徴とする電気光学装置の駆動回路。
【請求項２】
前記画素部は、発光素子と、該発光素子に電気的に接続されており前記発光素子を選択的に発光させるための表示選択素子とを含んでおり、
前記発光デューティ制御手段は、前記表示選択素子に供給される表示選択信号のパルス幅を調整することによって前記発光素子に駆動電流が流れる時間を連続的に制御すること
を特徴とする請求項１に記載の電気光学装置の駆動回路。
【請求項３】
前記ルックアップテーブル選択手段は、前記第２表示画像の階調分布に応じて前記第２ルックアップテーブルを選択すること
を特徴とする請求項１又は２に記載の電気光学装置の駆動回路。
【請求項４】
前記発光デューティ制御手段は、前記第１及び第２ルックアップテーブルを切り換える際に前記第１及び第２ルックアップテーブル双方による階調に対する輝度の補正値が相互に一致するか否かを判断し、相互に一致しない場合に、前記発光デューティを制御すること
を特徴とする請求項１から３の何れか一項に記載の電気光学装置の駆動回路。
【請求項５】
前記発光デューティ制御手段は、前記複数の走査線を選択するための走査信号を供給するタイミングを規定する垂直同期信号が供給される毎に前記発光デューティが所定の値まで変化したか否かを判断し、前記発光デューティが前記所定の値まで変化しない場合には再度前記表示選択信号のパルス幅を調整すること
を特徴とする請求項１から４の何れか一項に記載の電気光学装置の駆動回路。
【請求項６】
前記第２ルックアップテーブルを選択するために参照される前記第２表示画像の特徴を検出する表示画像特徴検出手段を更に備えたこと
を特徴とする請求項１から５の何れか一項に記載の電気光学装置の駆動回路。
【請求項７】
画像表示領域に配列されており該画像表示領域に動画像を表示すべく夫々発光可能である複数の画素部を備えた電気光学装置を駆動するための電気光学装置の駆動方法であって、
前記動画像を構成する一連の表示画像のうち第１表示画像の次に表示される第２表示画像に対応する第２ルックアップテーブルを、複数のルックアップテーブルから選択するルックアップテーブル選択する工程と、
前記第１表示画像に対応する第１ルックアップテーブルを前記選択された第２ルックアップテーブルに切り換える際に、前記第１及び第２表示画像間における階調輝度特性の差が小さくなるように前記複数の画素部の発光デューティを制御する発光デューティ制御工程と
を備えたことを特徴とする電気光学装置の駆動方法。
【請求項８】
複数の走査線と、複数のデータ線と、前記走査線と前記データ線との交差に対応して各々設けられ、動画像を表示すべく夫々発光可能である複数の画素部を備えた電気光学装置であって、
前記動画像を構成する一連の表示画像のうち第１表示画像の次に表示される第２表示画像に対応する第２ルックアップテーブルを、複数のルックアップテーブルから選択するルックアップテーブル選択手段と、
前記第１表示画像に対応する第１ルックアップテーブルを前記選択された第２ルックアップテーブルに切り換える際に、前記複数の画素部の発光デューティを動的に制御する発光デューティ制御手段と
を備えたことを特徴とする電気光学装置。
【請求項９】
前記画素部は、発光素子として有機ＥＬ素子を備えること
を特徴とする請求項８に記載の電気光学装置。
【請求項１０】
請求項８又は９に記載の電気光学装置を具備してなることを特徴とする電子機器。
【発明の詳細な説明】
【技術分野】
【０００１】
本発明は、例えば有機ＥＬ表示装置等の電気光学装置の駆動回路及び方法、並びに例えば有機ＥＬ表示装置等の電気光学装置及びこれを備えた電子機器の技術分野に関する。
【背景技術】
【０００２】
この種の電気光学装置に静止画像を表示させる場合、画像のピーク輝度及び階調輝度特性を動的に変化させる技術として、大きく分けて複数個のルックアップテーブル（以下、適宜“ＬＵＴ”と称す。）を予め記憶させておく方法、及びＬＵＴが備える階調輝度特性に関するデータを動的に書き換える方法、或いはこれら２つの方法を組み合わせた方法が用いられることが多い。例えば、特許文献１は、画面に表示されるカーソルパターンの情報に従ってＬＵＴを切り換える技術を開示している。特許文献２は、ルックアップテーブル用メモリを複数個設け、画面の各領域に応じてＬＵＴを切り換える技術を開示している。特許文献３は、複数のＬＵＴを相互に切り換えることが可能な赤外線カメラを開示している。特許文献４は、複数のＬＵＴを有し、任意の画像に対して複数の階調処理を行う医用放射線画像表示装置を開示している。特許文献５は、記録材料に記録される画像の階調を一定に保持するために、液晶パネルの駆動電圧を設定するためのＬＵＴを切り換える技術を開示している。特許文献６は、表示画面に複数の画像を表示する際に、少ない回路規模で夫々の画像に最適な階調補正を行う技術を開示している。特許文献７は、ディスプレイにドライブすべき画像サブフレームに対応するＬＵＴデータ・セットを用いて画像を表示する技術を開示している。
【０００３】
【特許文献１】特開昭６２−１６５６８７号公報
【特許文献２】特開昭６３−２４６７８８号公報
【特許文献３】特開平４−１９２８９６号公報
【特許文献４】特開平５−７５９２５号公報
【特許文献５】特開平１０−１７１０４３号公報
【特許文献６】特開平１０−２３３４７号公報
【特許文献７】特表２００２−５４４５７３号公報
【発明の開示】
【発明が解決しようとする課題】
【０００４】
しかしながら、少ないＬＵＴで動画像を構成する一連の表示画像の階調輝度特性を補正する場合、ＬＵＴを切り換えることによって画面の明るさ等が大きく切り替わる場合があり、画像表示が不自然になる問題点がある。更に、連続して表示される画像のうち階調輝度特性が大きく異なる画像を滑らかに切り換えることによって違和感のない動画像を表示するためには、動画像を構成するフレーム毎、或いは複数のフレーム毎に適切な階調輝度補正を施すために参照されるルックアップテーブルを、例えば有機ＥＬ表示装置等の電気光学装置が備える記憶装置に記憶させておく必要がある。動画像は、莫大な静止画像が連続して表示されることによって構成されることから、記憶すべきＬＵＴは莫大なものになり、これに対応して記憶装置には莫大な記憶容量が必要とされる問題点がある。また、ＬＵＴの階調輝度特性を示すデータを書き換える場合、動画像を構成する各静止画像が表示される度に算出することに加え、データの書き換えを高速で行う必要があり、動画像の階調輝度特性を動的に制御することが難しい問題点がある。更に、回路構成も煩雑になり、有機ＥＬ表示装置等のコストの増大を招く問題点もある。上記特許文献１乃至７に開示された技術は、これら複数の問題点を一挙に解決するためには十分とは言い難い。
【０００５】
本発明は上記問題点等に鑑みてなされたものであり、その目的とするところは、例えば、有機ＥＬ表示装置等の電気光学装置が表示する動画像の明るさが不自然に変動することを低減することによって動画像の表示性能を向上させると共に、動画像の階調輝度特性を簡便な方法で高速且つ動的に制御できる電気光学装置の駆動回路及び方法、並びに電気光学装置及びこれを備えた電子機器を提供することである。
【課題を解決するための手段】
【０００６】
本発明に係る電気光学装置の駆動回路は上記課題を解決するために、複数の走査線と、複数のデータ線と、前記走査線と前記データ線との交差に対応して各々設けられ、動画像を表示すべく夫々発光可能である複数の画素部を備えた電気光学装置を駆動するための電気光学装置の駆動回路であって、前記動画像を構成する一連の表示画像のうち第１表示画像の次に表示される第２表示画像に対応する第２ルックアップテーブルを、複数のルックアップテーブルから選択するルックアップテーブル選択手段と、前記第１表示画像に対応する第１ルックアップテーブルを前記選択された第２ルックアップテーブルに切り換える際に、前記複数の画素部の発光デューティを動的に制御する発光デューティ制御手段とを備える。
【０００７】
本発明に係る電気光学装置の駆動回路によれば、第１表示画像及び第２表示画像の階調輝度特性をスムーズに切り換えることが可能になる。より具体的には、例えば、任意の時点に表示されている第１表示画像が、続いて表示される第２表示画像に切り換えられる間際、或いは切り換えられる際に第１表示画像の階調輝度特性を補正する第１ルックアップテーブルによる階調に対する輝度の補正値（或いは、第１ルックアップテーブルにより特定される、同一階調に対する輝度値）を、第２ルックアップテーブルによる階調に対する輝度の補正値（即ち、第２ルックアップテーブルにより特定される、同一階調に対する輝度値）に近付けるように画素部の発光ディーティを制御する。これにより、簡便な回路構成によって高速、且つ動的に第１表示画像及び第２表示画像の階調輝度特性の差を小さくでき、動画像の輝度が大きく変化することによる不自然さを低減できる。ここで、本発明に係る「動的に」とは、「動画像を構成する表示画像が表示される毎に」という意味である。したがって、本発明に係る電気光学装置の駆動回路によれば、動画像が表示されている最中に、この動画像を構成する各表示画像の階調輝度特性を機動的に補正でき、階調輝度特性の違いに起因する動画像の、例えば明るさの違いを低減できる。よって、本発明に係る電気光学装置の駆動回路によれば、優れた品質の動画像を表示できる。尚、本発明に係る「ルックアップテーブル」とは、動画像を構成する表示画像における補正前のデータ信号を変換するためのデータ変換テーブルであり、より具体的には、例えば、外部回路等から入力されるデータ信号のある階調における輝度を、元の画像に近い画像として表示できるように元の画像データを補正する変換テーブルを意味する。したがって、本発明では、ルックアップテーブルを用いて表示された表示画像が切り替わる際に、これら表示画像の階調輝度特性の差が小さくなるようにルックアップテーブルが発光デューティに応じて補正されることになる。
【０００８】
本発明に係る電気光学装置の駆動回路によれば、画素部の発光デューティを制御することにより、第１表示画像及び第２表示画像の階調輝度特性の差を小さくすることができるため、簡便、且つ電気光学装置のコストを抑制しながら高品質の動画像を表示できる。ここで、「発光デューティ」とは、例えば、垂直同期信号（以下、ＶＳＹＮＣと称す。）の間隔に対する画素部の発光時間の割合を意味する。したがって、第１表示画像及び第２表示画像が表示される毎に第１或いは第２ルックアップテーブルとして適切なルックアップテーブルを計算し直すことなく、高速で第１及び第２表示画像の少なくとも一方の階調輝度特性を補正でき、第１ルックアップテーブル及び第２ルックアップテーブルの少なくとも一方を新たに計算して求める場合に比べて高速、且つ簡便な装置構成で高品質の動画像を表示できる。尚、本発明に係る「一連」とは、時間的に連続していることを意味する。本発明に係る「第１表示画像及び第２表示画像」の夫々は、動画像を構成する１フレーム毎の画像、或いは連続した複数のフレームで構成される一群の画像である。また、第１ルックアップテーブルによる補正値を第２ルックアップテーブルによる補正値に近付ける場合に限定されず、第２表示画像の階調輝度特性を補正する第２ルックアップテーブルのデータを、表示画像を切り換える際に事前に第１ルックアップテーブルに近付けるように補正しておいてもよい。或いは、第１ルックアップテーブル及び第２ルックアップテーブルの双方の階調輝度特性を近付けるように発光デューティを制御し、階調輝度特性を補正してもよい。
【０００９】
このように、本発明に係る電気光学装置の駆動回路によれば、簡便な回路構成によって駆動回路に要するコストを抑制しつつ、高速で第１及び第２表示画像の階調輝度特性の差を小さくでき、高速且つ簡便に高品質の動画像を表示できる。
【００１０】
本発明に係る電気光学装置の駆動回路の一態様では、前記画素部は、発光素子と、該発光素子に電気的に接続されており前記発光素子を選択的に発光させるための表示選択素子とを含んでおり、前記発光デューティ制御手段は、前記表示選択素子に供給される表示選択信号のパルス幅を調整することによって前記発光素子に駆動電流が流れる時間を連続的に制御してもよい。
【００１１】
この態様によれば、例えば、発光素子の一例である有機ＥＬ素子の駆動電流が流れる時間を制御することにより、発光デューティを制御できる。より具体的には、例えば有機ＥＬ素子を含む画素部を所謂電流プログラム方式によって駆動する場合、表示選択素子の一例である表示選択用ＴＦＴのオンオフを制御することにより、有機ＥＬ素子が発光する発光時間を制御できる。この場合、有機ＥＬ素子の発光時間は表示選択用ＴＦＴに供給される表示選択信号のパルス幅によって決めることが可能である。したがって、この態様によれば、例えば表示選択信号のパルス幅のみによって発光デューティを制御できるため、簡便に、且つ高速で高品質な動画像を表示できる。
【００１２】
本発明に係る電気光学装置の駆動回路の他の態様では、前記ルックアップテーブル選択手段は、前記第２表示画像の階調分布に応じて前記第２ルックアップテーブルを選択してもよい。
【００１３】
この態様によれば、例えば、第２表示画像の階調分布を示すヒストグラムを参照することによって第２ルックアップテーブルを選択できる。したがって、例えば、ルックアップテーブルを階調分布に応じて分類しておけば、ルックアップテーブル選択手段は、任意の種類のルックアップテーブルから階調分布に応じて適切なルックアップテーブルを第２ルックアップテーブルとして選択できる。
【００１４】
本発明に係る電気光学装置の駆動回路の他の態様では、前記発光デューティ制御手段は、前記第１及び第２ルックアップテーブルを切り換える際に前記第１及び第２ルックアップテーブル双方による階調に対する輝度の補正値が相互に一致するか否かを判断し、相互に一致しない場合に、前記発光デューティを制御してもよい。
【００１５】
この態様によれば、第１及び第２表示画像の階調輝度特性を補正する必要がある場合に限り発光デューティを制御できるため、無駄な発光デューティの制御を低減することができ、より高速で高品質の動画像を表示できる。また、この態様における「相互に一致する」とは、文字通りの一致の他、表示上で視認できない程度に一致、即ち、実質的に一致も含む趣旨である。言い換えれば、第１表示画像及び第２表示画像の切替えの際における階調値の変化が、予め設定された範囲内にあるということになる。
【００１６】
本発明に係る電気光学装置の駆動回路の他の態様では、前記発光デューティ制御手段は、前記複数の走査線を選択するための走査信号を供給するタイミングを規定する垂直同期信号が供給される毎に前記発光デューティが所定の値まで変化したか否かを判断し、前記発光デューティが前記所定の値まで変化しない場合には再度前記表示選択信号のパルス幅を調整してもよい。
【００１７】
この態様によれば、第１及び第２表示画像の階調輝度特性の差が小さくなるように繰り返し発光デューティを制御でき、第１及び第２表示画像の任意の階調における輝度を精度良く近付けることが可能である。
【００１８】
本発明に係る電気光学装置の駆動回路の他の態様では、前記第２ルックアップテーブルを選択するために参照される前記第２表示画像の特徴を検出する表示画像特徴検出手段を更に備えていてもよい。
【００１９】
この態様によれば、例えば、第２表示画像の特徴に応じて第２ルックアップテーブルを選択でき、動画像を構成する表示画像毎に応じたルックアップテーブルを記憶しておく場合に比べてルックアップテーブルを記憶するためのメモリ等を低減できる。ここで、本発明に係る「特徴」とは、例えば、動画像を構成する表示画像の階調分布であり、複数のルックアップテーブルから適切なルックアップテーブルを選択することにより、回路構成を簡便にできる。
【００２０】
本発明に係る電気光学装置の駆動方法は上記課題を解決するために、画像表示領域に配列されており該画像表示領域に動画像を表示すべく夫々発光可能である複数の画素部を備えた電気光学装置を駆動するための電気光学装置の駆動方法であって、前記動画像を構成する一連の表示画像のうち第１表示画像の次に表示される第２表示画像に対応する第２ルックアップテーブルを、複数のルックアップテーブルから選択するルックアップテーブル選択する工程と、前記第１表示画像に対応する第１ルックアップテーブルを前記選択された第２ルックアップテーブルに切り換える際に、前記第１及び第２表示画像間における階調輝度特性の差が小さくなるように前記複数の画素部の発光デューティを制御する発光デューティ制御工程とを備えている。
【００２１】
本発明に係る電気光学装置の駆動方法によれば、上述した本発明の電気光学装置の駆動回路と同様に、簡便に、且つ高速で第１及び第２表示画像の階調輝度特性の差を小さくでき、高品質の動画像を表示することが可能である。
【００２２】
本発明に係る電気光学装置は上記課題を解決するために、複数の走査線と、複数のデータ線と、前記走査線と前記データ線との交差に対応して各々設けられ、動画像を表示すべく夫々発光可能である複数の画素部を備えた電気光学装置であって、前記動画像を構成する一連の表示画像のうち第１表示画像の次に表示される第２表示画像に対応する第２ルックアップテーブルを、複数のルックアップテーブルから選択するルックアップテーブル選択手段と、前記第１表示画像に対応する第１ルックアップテーブルを前記選択された第２ルックアップテーブルに切り換える際に、前記複数の画素部の発光デューティを動的に制御する発光デューティ制御手段とを備える。
【００２３】
本発明に係る電気光学装置によれば、上述した本発明の電気光学装置の駆動回路と同様に、簡便に、且つ高速で第１及び第２表示画像の階調輝度特性の差を小さくでき、高品質の動画像を表示することが可能である。また、駆動回路内蔵型の電気光学装置を実現できる。
【００２４】
本発明に係る電気光学装置の一の態様においては、前記画素部は、発光素子として前記有機ＥＬ素子を備えていてもよい。
【００２５】
この態様によれば、有機ＥＬ素子の素子特性を十分に発揮させながら高品位の画像を表示できる。
【００２６】
本発明に係る電子機器は上記課題を解決するために、上述した本発明の電気光学装置を備えている。
【００２７】
本発明に係る電子機器によれば、上述した本発明に係る電気光学装置を具備してなるので、高品位の動画像を表示可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなど、更には電気光学装置を露光用ヘッドとして用いたプリンタ、コピー、ファクシミリ等の画像形成装置などの各種電子機器を実現できる。また、本発明に係る電子機器として、例えば電子ペーパなどの電気泳動装置等も実現することが可能である。
【００２８】
本発明のこのような作用及び他の利得は次に説明する実施形態から明らかにされる。
【発明を実施するための最良の形態】
【００２９】
以下、図面を参照しながら、本発明に係る電気光学装置の駆動回路及び方法、並びに電気光学装置及び電子機器の実施形態について詳細に説明する。尚、本実施形態では、本発明に係る電気光学装置の駆動回路を有機ＥＬ表示装置に適用した例について説明する。
【００３０】
（有機ＥＬ表示装置の構成）
先ず図１を参照しながら、本実施形態に係る有機ＥＬ表示装置の電気的な構成について説明する。図１は、本実施形態に係る有機ＥＬ表示装置の電気的な構成を示すブロック図である。
【００３１】
図１において、有機ＥＬ表示装置１は、表示パネル部２、走査線駆動回路３、データ線駆動回路４、表示画像データ入力インターフェイス回路（以下、単に「ＩＦ回路」と称す。）５、表示画像用メモリ６、ルックアップテーブル（以下、ＬＵＴと称す。）記憶回路７、ＬＵＴ選択回路８、Ｄ／Ａ変換器９、表示画像特徴検出回路１０、発光デューティ制御回路１１、ＣＰＵ（Central Processing Unit）１２、及びタイミング制御回路１３を備えている。
【００３２】
表示パネル部２は、行方向に延在するｎ本の走査線Ｙ１〜Ｙｎ（ｎは自然数。）と列方向に延在するｍ本のデータ線Ｘ１〜Ｘｍ（ｍは自然数。）との交差部に対応する位置にｎ行ｍ列に配列された複数の画素部を有している。これら画素部は、例えば、赤色（Ｒ）、緑色（Ｇ）、青（Ｂ）色に発光する有機ＥＬ素子を有している。また、後述するように走査線Ｙ１〜Ｙｎの夫々は、書込信号供給線Ｙｎ１及び表示選択信号供給線Ｙｎ２の２本の配線を含んでいる。表示パネル部２は、各画素部に対応する図示しない電源供給線を有しており、電源から電源供給線を介して駆動電流が供給されることによって画素部に含まれる有機ＥＬ素子が発光する。これにより、表示パネル部２に動画像が表示される。
【００３３】
走査線駆動回路３及びデータ線駆動回路４は、表示パネル部２の周辺領域に配置されている。
【００３４】
走査線駆動回路３はｎ本の走査線Ｙ１〜Ｙｎに走査信号を順次供給する。走査線駆動回路３は、後述するように表示パネル部２が有する画素部に含まれる表示選択用ＴＦＴをオフするための電圧値と、スイッチングＴＦＴ１０１をオンするための電圧値との２値の表示選択信号を、外部供給されるクロック信号及びタイミング制御回路１３から供給される垂直同期信号ＶＳＹＮＣ（以下、便宜“ＶＳＹＮＣ”と称す。）に応じたタイミングで、表示パネル部２の走査線Ｙ１〜Ｙｎに送り出す。したがって、ある１本の走査線Ｙｎに連なる表示選択用ＴＦＴは一斉にオン又はオフとなる。本実施形態の有機ＥＬ表示装置１では、カラー表示を実現する関係上、階調情報を含む画像信号が、選択された走査線Ｙｎについて、即ちライン単位で一斉に送り出されるように構成されている。
【００３５】
データ線駆動回路４は、データ線Ｘ１〜Ｘｍに画像信号を供給する。図１に示すように、データ線駆動回路４は、画像信号の元となる、例えば階調情報を含む８ビットのデータ信号を受ける。データ線駆動回路４は、受け取ったデータ信号をクロック信号及びタイミング制御回路から供給される水平同期信号ＨＳＹＮＣ（以下、便宜“ＨＳＹＮＣ”と称す。）に応じたタイミングで、データ信号を画像信号として表示パネル部２のデータ線Ｘ１〜Ｘｍに送り出す。また、データ線駆動回路４は、シフトレジスタ回路、ラッチ回路、サンプリング回路等を含んでいてもよいし、画像信号を増幅するレベルシフタとして機能してもよい。尚、データ線駆動回路４に入力されるデータ信号は、後に詳述するようにＬＵＴを参照することによって輝度補正が施された、補正済のデータ信号である。走査線駆動回路３の動作とデータ線駆動回路４の動作とは、外部回路から供給される同期信号ＳＹＮＣ（以下、便宜“ＳＹＮＣ”と称す。）によって相互に同期が図られる。
【００３６】
ＩＦ回路５は、データ線駆動回路４によって最終的にデータ線Ｘ１〜Ｘｍを通じて画素部に供給される画像信号の補正前の信号、即ち生のデータ信号を外部回路から受け取る。ＩＦ回路５には列カウンタ及び行カウンタが備えられている。これらは、不図示の外部回路から夫々供給されるデータ信号、クロック信号Ｃｌｏｃｋ及びＳＹＮＣに基づいて、都度受け取る生のデータ信号が、表示パネル部２上のどの画素部に対応するものであるかを列及び行についてカウントする。
【００３７】
表示画像用メモリ６は、動画像を構成する１フレーム毎の画像データを記憶する。各フレームの画像データは、例えば、８ビットのデジタル信号として表示画像用メモリ６に記憶される。
【００３８】
ＬＵＴ記憶回路７は、動画像を構成する１フレーム毎の表示画像、又は複数のフレームの一群で構成される表示画像の階調輝度特性を補正するための複数のルックアップテーブルを記憶している。本実施形態の場合、ＬＵＴ記憶回路７は３種類のＬＵＴ１、２、及び３を記憶しており、ＬＵＴの夫々は明るめの表示画像、中くらいの明るさの表示画像、及び暗めの表示画像の階調輝度特性を補正するためのデータ変換テーブルとして機能する。
ここで、「明るい表示画像」、「中くらいの明るさの表示画像」、及び「暗めの表示画像」とは、本願発明者が任意に定めたものであり、例えば、図９に示す画素部の階調分布に基づいて分類されたものである。例えば、図９（ａ）に示す階調輝度特性を有する表示画像が「暗めの表示画像」であり、図９（ｂ）に示す階調輝度特性を有する表示画像が「中くらいの明るさの表示画像」であり、図９（ｃ）に示す階調輝度特性を有する表示画像が「明るい表示画像」の夫々一例である。尚、ＬＵＴ１は、暗めの階調部分を引き伸ばす「黒伸張」を可能にすると共に、明るめの階調部分を圧縮し、例えば階調が２５５のときの画素部の輝度をＬＵＴ２と同等にする。ＬＵＴ２のガンマ補正値の設定は、例えば２．２である。ＬＵＴ３は、階調２５５における画素部の輝度をＬＵＴ２より小さめに設定する。より具体的には、表示画像全体を暗めに補正することによって表示画像を表示する際に画素部等で消費される消費電力を低減する。また、ＬＵＴ３は、明るめの階調部分を引き伸ばす「白伸張」を行い、暗めの階調部分が圧縮する。
【００３９】
表示画像特徴検出回路１０は、動画像を構成する各フレームの表示画像の特徴、或いは複数のフレームで構成される表示画像の特徴を検出し、ＣＰＵ１２に送る。ここで、「表示画像の特徴」とは、例えば表示画像の階調分布であり、より具体的には、例えば、図９に示すように、８ビットで規定される２５６階調の夫々に対する画素部のヒストグラムである。本実施形態でおいて、表示画像特徴検出回路１０は、外部回路からＩＦ回路５に供給された画像データの階調分布を検出する。
【００４０】
ＣＰＵ１２は、ＬＵＴ選択回路８と共に本発明に係る「ルックアップテーブル選択手段」の一例を構成する。ＣＰＵ１２は、表示画像特徴検出回路１０が検出した特徴を読出し、読み出した表示画像の階調分布に応じて、ＬＵＴ記憶回路７に記憶された複数のＬＵＴから適切なＬＵＴをＬＵＴ選択回路８に選択させる。尚、ＣＰＵ１２は、後述する電気光学装置の駆動方法に含まれる各ステップにおいて各種判断を行う。
【００４１】
ＬＵＴ選択回路８は、ＣＰＵ１２の制御の下でＬＵＴ記憶回路７に記憶された複数のＬＵＴの中から表示画像に適切なＬＵＴを選択し、選択されたＬＵＴを参照してＩＦ回路５側から供給される補正前のデータ信号の任意の階調における輝度を補正する。したがって、Ｄ／Ａ変換器９には、任意の階調における輝度が補正されたデータ信号が供給される。ＬＵＴ選択回路８は、動画像を構成する表示画像が表示される度に、この表示画像の輝度を補正するためのＬＵＴを選択する。また、ＬＵＴ選択回路８は、ＣＰＵ１２の制御の下で、動画像を構成するフレーム毎の表示画像の輝度を補正するようにＬＵＴを選択してもよいし、連続して表示される複数のフレームの一群毎にＬＵＴを選択してもよい。更に、ＬＵＴ選択回路８は、表示画像用メモリ６から送られた補正前のデータ信号を、選択されたＬＵＴを参照して補正した後、Ｄ／Ａ変換器９に送る。Ｄ／Ａ変換器９は、デジタル信号であるデータ信号をアナログ信号に変換し、データ線駆動回路４に画像信号として供給する。
【００４２】
発光デューティ制御回路３は、ＣＰＵ１２と共に本発明に係る「発光デューティ制御手段」の一例を構成する。発光デューティ制御回路１１は、走査線Ｙ１〜Ｙｎの夫々に含まれる書込み信号供給線及び表示選択信号供給線のうち後述する表示選択信号供給線Ｙｎ２に、画素部に含まれる表示選択用ＴＦＴをオンオフするための表示選択信号Ｓｃｎ２−ｎを供給する。ここで、ＣＰＵ１２は、表示パネル部２に表示される動画像を構成する表示画像の特徴、即ち階調分布に関するデータを取得している。したがって、発光デューティ制御回路１１は、ＣＰＵ１２の制御の下、動画像を構成する表示画像のうち連続して表示される表示画像間の任意の階調における輝度、即ち階調輝度特性の差が小さくなるように、表示パネル部２が有する画素部の発光デューティを制御する。
【００４３】
（画素部の構成）
次に図２を参照しながら、表示パネル部２が備える画素部の構成について説明する。図２は、画素部７０の構成を示す回路図である。
【００４４】
図２において、画素部７０は、有機ＥＬ素子７２、スイッチング用ＴＦＴＱｓｗ１及びＱｓｗ２、保持容量Ｃ１、駆動用ＴＦＴＱｄ、表示選択用ＴＦＴＱｓｔを備えている。
【００４５】
有機ＥＬ素子７２は、電流駆動型の発光素子の一例であり、例えば、アノード及びカソード並びにこれらに挟持されてなる有機ＥＬ層を備え、アノード及びカソード間に電位差が生じさせられることによって、アノードから正孔が、カソードから電子が有機ＥＬ層に注入され、これにより有機ＥＬ層自らが発光するように構成されている。有機ＥＬ層を構成する有機化合物は低分子系でも高分子系でもかまわない。また、有機層の構成としては、単一層からなるものでもよいし、電子輸送層、或いは正孔輸送層をもつ二層或いは三層構造からなるものとしてもよい。更に、有機ＥＬ素子７２は、赤色（Ｒ）、緑色（Ｇ）及び青色（Ｂ）の夫々に対応した、アノード、有機層及びカソードを１セットとする積層構造を、複数層備えた構成を採用してもよいし、画素部７０が、必要に応じてカラーフィルタを備えていてもよい。
【００４６】
尚、走査線Ｙ１〜Ｙｎが備える書込信号供給線Ｙｎ１は、画素部７０のプログラミングステージにおいて各画素部の蓄積容量Ｃ１に電荷を蓄積するための電圧をスイッチング用ＴＦＴＱｓｗ１及びＱｓｗ２のゲートに印加するために設けられた配線であり、表示選択信号線Ｙｎ２は各画素部７０が備える表示選択用ＴＦＴＱｓｔをオンオフするための表示選択信号Ｓｃｎ２−ｎを供給するための配線である。
【００４７】
次に、図１乃至図４を参照しながら画素部７０の動作について説明する。図３は、各画素部７０に供給される表示選択信号Ｓｃｎ２−ｎのタイミングチャートの一例であり、図４は、発光デューティを制御する際の選択表示信号Ｓｃｎ２−ｎの推移の一例を示すタイミングチャートである。
【００４８】
図１乃至図４において、ＶＳＹＮＣ及びＨＳＹＮＣが供給されると、表示パネル部２の走査線Ｙ１に含まれる表示選択信号供給線Ｙ１２に表示選択信号Ｓｃｎ２−１が供給される。続いて、ＨＳＹＮＣが供給される毎に順次走査線Ｙ２、Ｙ３、・・・、Ｙｎの夫々に含まれる表示選択信号供給線Ｙ１２、Ｙ２２、・・・、Ｙｎ２に順に表示選択信号Ｓｃｎ２−２、Ｓｃｎ２−３、・・・、Ｓｃｎ２−ｎが供給される。尚、図３においては、各画素部７０に供給される表示選択信号Ｓｃｎ２−ｎのパルス幅はＶＳＹＮＣの間隔と一致している。即ち、画素部７０の有機ＥＬ素子は、ＶＳＹＮＣの間隔分発光する。
【００４９】
図４において、画素部７０に供給される表示選択信号Ｓｃｎ２−ｎのパルス幅が発光デューティ制御回路１１によって制御される。より具体的には、例えば、画素部７０の任意の階調において輝度を減少させる場合には、有機ＥＬ素子７２の発光デューティが１００％の状態から５０％、或いは１０％になるように表示選択信号Ｓｃｎ２−ｎのパルス幅を小さくする。また、逆に輝度を上げる場合には、表示選択信号Ｓｃｎ２−ｎのパルス幅を大きくする。このような表示選択信号Ｓｃｎ２−ｎのパルス幅の制御は、ＣＰＵ１２の制御の下で発光デューティ制御回路１１によって実行される。これにより、表示選択用ＴＦＴＱｓｔを介して有機ＥＬ素子７２に駆動電流が流れる時間を調整することができ、画素部７０の輝度を調整できる。ここで、表示選択信号Ｓｃｎ２−ｎのパルス幅は、図中時間軸に沿って連続的に変更でき、画素部７０の輝度を連続的に変えることが可能である。したがって、動画像を構成する表示画像のうち連続して表示される表示画像間の階調輝度特性に差がある場合には、先に表示される第１表示画像の階調輝度特性を発光デューティを調整することによって変更し、第２表示画像の階調輝度特性に近付けることができる。これにより、不自然な明るさの差が生じていない動画像を高速、且つ簡便な回路構成で表示できる。
【００５０】
（有機ＥＬ表示装置の駆動方法）
次に図１に加え、図５乃至図１１を参照しながら、本実施形態に係る有機ＥＬ表示装置の駆動方法について説明する。図５乃至図８は、本実施形態に係る有機ＥＬ表示装置の駆動方法の一連の処理ルーチンを示すフローチャートである。図９は、ルックアップテーブルを選択する際に参照される階調分布の夫々一例を示すグラフであり、（ａ）、（ｂ）及び（ｃ）は、暗めの画像、中くらいの画像、及び明るめの画像の階調分布を示す。図１０及び図１１は、ルックアップテーブルの階調輝度特性の夫々一例を示すグラフである。
【００５１】
図１及び図５において、ＣＰＵ１２は、ＶＳＹＮＣが供給されたか否かを判断する（Ｓ１０１）。ここで、ＶＳＹＮＣが検出されなかった場合には、ＣＰＵ１２は再度ＶＳＹＮＣが供給されたか否かを判断する。ＣＰＵ１２は、ＶＳＹＮＣが検出された場合に表示画像の特徴を読み出す（Ｓ１０２）。ＣＰＵ１２は、読み出した表示画像の特徴がどのように分類されるかを判断する（Ｓ１０３）。表示画像の特徴は、例えば、階調分布に応じて分類される。図９に示すように、（ａ）暗めの画像の階調分布、（ｂ）中くらいの画像の階調分布、及び（ｃ）明るめの画像の階調分布に応じて表示画像を３種類の画像に分類する。このような階調分布を参照することによって、動画像を構成する表示画像のうち任意の表示画像に適したＬＵＴを選択する。より具体的には、任意の表示画像の次に表示される表示画像の画像データが表示画像用メモリ６に記憶されており、ＬＵＴ選択回路８は、この画像データの階調輝度特性を補正するためのＬＵＴを目標ＬＵＴとして選択する（Ｓ１０４）。即ち、本実施形態においては、３種類のＬＵＴ１、２、及び３の一つを設定する選択枝がある。次に、ＬＵＴ選択回路８が、ＣＰＵ１２の制御の下、現在表示されている表示画像に設定されている現在ＬＵＴと、次の表示画像に設定される目標ＬＵＴとが一致しているか否かを判断する（Ｓ１０５）。ここで、現在ＬＵＴ及び目標ＬＵＴが一致している場合には、ステップＳ１０１に戻り、ステップＳ１０１〜Ｓ１０５までのステップが再度実行される。現在ＬＵＴ及び目標ＬＵＴが一致していない場合には、現在ＬＵＴがどのＬＵＴであるのかを判断（Ｓ１０６）し、図６乃至図８の何れかのステップに移行する。本実施形態では、表示画像の階調輝度特性に応じて３種類のルックアップテーブルを設定可能であるため、現在ＬＵＴ及び目標ＬＵＴの組み合わせが複数通り想定される。尚、ステップＳ１０１〜Ｓ１０６で現在ＬＵＴ、或いは目標ＬＵＴとして設定されるＬＵＴは、後述する３つのＬＵＴ１、２、及び３から選択される。
【００５２】
ここでステップＳ１０６以降のステップを説明する前に、図１０及び図１１を参照しながら、本実施形態に係る３種類のＬＵＴについて説明する。図１０及び図１１は、３種類のＬＵＴ１、２、及び３のうち夫々２種類のＬＵＴの階調輝度特性を示す特性図である。
【００５３】
図１０は、ＬＵＴ１及びＬＵＴ２の階調輝度特性を示す特性図であり、併せて発光デューティを制御することによって変更可能なＬＵＴ１及び２の上限及び下限を示している。ＬＵＴ１の上限を示す曲線はＬ１ｕであり、下限を示す曲線はＬ１ｄである。同様に、ＬＵＴ２の上限及び下限を示す曲線は、夫々Ｌ２ｕ及びＬ２ｄである。図１１は、ＬＵＴ２及びＬＵＴ３の階調輝度特性を示す特性図であり、発光デューティを制御することによって変更可能なＬＵＴ２及び３の上限及び下限を示している。ＬＵＴ３の上限及び下限を示す曲線は、夫々Ｌ３ｕ及びＬ３ｄである。本実施形態においては、ＬＵＴ１及び２、ＬＵＴ２及び３の夫々の組み合わせのＬＵＴが他の一のＬＵＴより互いに近い階調輝度特性を有していることから、以下で説明するステップは、これらの組み合わせを構成するＬＵＴ間でＬＵＴを切り換える際の発光デューティの制御について説明する。
より具体的には、動画像を構成する表示画像間におけるＬＵＴの切り換えは、ＬＵＴ１からＬＵＴ２に切り換える場合、ＬＵＴ２からＬＵＴ１又はＬＵＴ３に切り換える場合、ＬＵＴ３からＬＵＴ２に切り換える場合の大きく分けて３通りの場合が想定される。したがって、図５に示したステップＳ１０６に続くフローとして、上述した３通りのフローがある。
【００５４】
次に図６乃至図１１を参照しながら上記３通りのフローについて順次説明する。
【００５５】
先ず図６及び図１０を参照しながら、動画像を構成する表示画像のうち先に表示される第１表示画像に設定された現在ＬＵＴがＬＵＴ１であり、第１表示画像の次に表示される第２表示画像の目標ＬＵＴがＬＵＴ２である場合について説明する。図６は、現在ＬＵＴがＬＵＴ１の場合についてのステップＳ１０６以降の処理ルーチンを示すフローチャートである。
【００５６】
図６及び図１０において、ＣＰＵ１２は発光デューティ制御回路１１を用いて、任意の階調について表示画像輝度を１％下げるように発光デューティを制御する（Ｓ２０１）。このとき、発光デューティ制御回路１１は、表示選択信号Ｓｃｎ２−ｎのパルス幅を、例えば１％だけ小さくする。表示選択信号Ｓｃｎ２−ｎのパルス幅を連続的に変更することは可能であり、例えば、本実施形態のように表示選択信号Ｓｃｎ２−ｎのパルス幅を１％ずつ変更できる。続いて、ＣＰＵ１２が、ＶＳＹＮＣを検出する（Ｓ２０２）。このとき、ＶＳＹＮＣが検出されなかった場合には、ＶＳＹＮＣが検出されるまでステップＳ２０２を繰り返す。ＶＳＹＮＣが検出された場合には、発光デューティ全体がどの程度の割合まで低減されたかを判断する（Ｓ２０３）。本実施形態の場合、例えば、任意の階調におけるＬＵＴ１の輝度に対して８０％まで発光デューティが低減されているか否かを判断する。発光デューティが８０％まで低減されていないと判断された場合、再度ステップＳ２０１に戻る。発光デューティが８０％低減されたと判断された場合は、例えば、図１０に示す点Ｐ１から点Ｐ２に輝度が変更されていることになる。このとき、点Ｐ２はＬ１ｄ上及びＬ２ｕに近い位置に存在する点である。即ち、点Ｐ２は、ＬＵＴ２の輝度を基準にして１２０％の輝度に近い点に位置している。ここで、ＬＵＴ選択回路８により現在ＬＵＴをＬＵＴ２に変更すると共に、発光デューティ制御回路１１により発光デューティを１２０％に設定変更する（Ｓ２０４）。更に、点Ｐ２をＬＵＴ２の階調輝度特性に近付けるように発光デューティを１％低減する（Ｓ２０５）。
【００５７】
続いて、ＶＳＹＮＣを検出したか否かを判断する（Ｓ２０６）。ＶＳＹＮＣが検出されなかった場合には、再度ＶＳＹＮＣを検出するまでステップＳ２０６を繰り返す。ＶＳＹＮＣを検出した場合には、発光デューティがＬＵＴ２の任意の階調におけるＬＵＴ２の輝度と一致したか否か、即ち発光デューティが１００％になるまで低減されたか否かを判断する（Ｓ２０７）。この状態で、点Ｐ２はＬＵＴ２上の点Ｐ３に移動している。このようなステップを経ることによって、ＬＵＴ１がＬＵＴ２に滑らかに変更され、ＬＵＴ１によって階調輝度特性が補正されていた第１表示画像と、ＬＵＴ２で階調輝度特性が補正される第２表示画像とが連続して滑らかに表示される。更に、現在ＬＵＴが目標ＬＵＴに一致したかどうかを判断するために、図５に示すステップＳ１０５へ戻る。
【００５８】
次に図７、図１０及び図１１を参照しながら、動画像を構成する表示画像のうち先に表示される第１表示画像に設定されたＬＵＴがＬＵＴ２であり、第１表示画像の次に表示される第２表示画像のＬＵＴがＬＵＴ１又はＬＵＴ３である場合について説明する。図７は、現在ＬＵＴがＬＵＴ２の場合についてのステップＳ１０６以降の処理ルーチンを示すフローチャートである。
【００５９】
図７及び図１０において、目標ＬＵＴがＬＵＴ１であるかＬＵＴ３であるかを判断する（Ｓ３００）。目標ＬＵＴがＬＵＴ１である場合に、ＣＰＵ１２は発光デューティ制御回路１１を用いて任意の階調について表示画像輝度を１％増加させるように発光デューティを制御する（Ｓ３０１）。このとき、発光デューティ制御回路１１は、表示選択信号Ｓｃｎ２−ｎのパルス幅を、例えば１％だけ大きくする。続いて、ＣＰＵ１２がＶＳＹＮＣを検出する（Ｓ３０２）。このとき、ＶＳＹＮＣが検出されなかった場合には、ＶＳＹＮＣが検出されるまでステップＳ３０２を繰り返す。ＶＳＹＮＣが検出された場合には、発光デューティがどの程度の割合まで増加したかを判断する（Ｓ３０３）。本実施形態の場合、例えば、任意の階調におけるＬＵＴ１の輝度に対して１２０％まで発光デューティが増加しているか否かを判断する。発光デューティが１２０％まで増加していないと判断された場合、再度ステップＳ３０１に戻る。発光デューティが１２０％まで増加したと判断された場合は、例えば、図１０に示す点Ｐ３から点Ｐ２に階調輝度特性が変更されていることになる。このとき、点Ｐ２は、ＬＵＴ１の輝度を基準にして８０％の輝度に近い点に位置している。ここで、ＬＵＴ選択回路８により現在ＬＵＴをＬＵＴ１に変更すると共に、発光デューティ制御回路１１により発光デューティを８０％に設定変更する（Ｓ３０４）。更に、点Ｐ２をＬＵＴ１の階調輝度特性に近付けるように発光デューティを１％増加させる（Ｓ３０５）。続いて、ＶＳＹＮＣを検出したか否かを判断する（Ｓ３０６）。ＶＳＹＮＣが検出されなかった場合には、再度ＶＳＹＮＣを検出するまでステップＳ３０６を繰り返す。ＶＳＹＮＣを検出した場合には、発光デューティがＬＵＴ１の任意の階調におけるＬＵＴ１の輝度と一致したか否か、即ち発光デューティが１００％になるまで増加したか否かを判断する（Ｓ３０７）。この状態で、点Ｐ２はＬＵＴ１上の点Ｐ１に移動している。このようなステップを経ることによって、ＬＵＴ２がＬＵＴ１に滑らかに変更され、ＬＵＴ２によって階調輝度特性が補正されていた第１表示画像と、ＬＵＴ１で階調輝度特性が補正される第２表示画像とが連続して滑らかに表示される。
【００６０】
次に図７及び図１１を参照しながら、動画像を構成する表示画像のうち先に表示される第１表示画像に設定されたＬＵＴがＬＵＴ２であり、第１表示画像の次に表示される第２表示画像のＬＵＴがＬＵＴ３である場合について説明する。
【００６１】
図７及び図１１において、ＣＰＵ１２は発光デューティ制御回路１１を用いて、任意の階調について表示画像輝度を１％下げるように発光デューティを制御する（Ｓ４０１）。このとき、発光デューティ制御回路１１は、表示選択信号Ｓｃｎ２−ｎのパルス幅を、例えば１％だけ小さくする。続いて、ＣＰＵ１２が、ＶＳＹＮＣを検出する（Ｓ４０２）。このとき、ＶＳＹＮＣが検出されなかった場合には、ＶＳＹＮＣが検出されるまでステップＳ４０２を繰り返す。ＶＳＹＮＣが検出された場合には、発光デューティ全体がどの程度の割合まで低減されたかを判断する（Ｓ４０３）。本実施形態の場合、例えば、任意の階調におけるＬＵＴ２の輝度に対して９０％まで発光デューティが低減されているか否かを判断する。発光デューティが９０％まで低減されていないと判断された場合、再度ステップＳ４０１に戻る。発光デューティが９０％低減されたと判断された場合は、例えば、図１１に示す点Ｐ４から点Ｐ５に階調輝度特性が変更されていることになる。このとき、点Ｐ５はＬ２ｄ上及びＬ３ｕに近い位置に存在する点である。即ち、点Ｐ５は、ＬＵＴ３の輝度を基準にして１１０％の輝度に近い点に位置している。ここで、ＬＵＴ選択回路８により現在ＬＵＴをＬＵＴ３に変更すると共に、発光デューティ制御回路１１により発光デューティを１１０％に設定変更する（Ｓ４０４）。更に、点Ｐ５をＬＵＴ３の階調輝度特性に近付けるように発光デューティを１％低減する（Ｓ４０５）。続いて、ＶＳＹＮＣを検出したか否かを判断する（Ｓ４０６）。ＶＳＹＮＣが検出されなかった場合には、再度ＶＳＹＮＣを検出するまでステップＳ４０６を繰り返す。ＶＳＹＮＣを検出した場合には、発光デューティがＬＵＴ３の任意の階調におけるＬＵＴ３の輝度と一致したか否か、即ち発光デューティが１００％になるまで低減されたか否かを判断する（Ｓ４０７）。この状態で、点Ｐ４はＬＵＴ２上の点Ｐ６に移動している。このようなステップを経ることによってＬＵＴ２がＬＵＴ３に滑らかに変更され、ＬＵＴ２によって階調輝度特性が補正されていた第１表示画像と、ＬＵＴ３で階調輝度特性が補正される第２表示画像とが連続して滑らかに表示される。  次に図８及び図１１を参照しながら、動画像を構成する表示画像のうち先に表示される第１表示画像に設定されたＬＵＴがＬＵＴ３であり、第１表示画像の次に表示される第２表示画像のＬＵＴがＬＵＴ２である場合について説明する。
【００６２】
図８及び図１１において、ＣＰＵ１２は発光デューティ制御回路１１を用いて、任意の階調について表示画像輝度を１％増加させるように発光デューティを制御する（Ｓ５０１）。このとき、発光デューティ制御回路１１は、表示選択信号Ｓｃｎ２−ｎのパルス幅を、例えば１％だけ増加させる。続いて、ＣＰＵ１２が、ＶＳＹＮＣを検出する（Ｓ５０２）。このとき、ＶＳＹＮＣが検出されなかった場合には、ＶＳＹＮＣが検出されるまでステップＳ５０２を繰り返す。ＶＳＹＮＣが検出された場合には、発光デューティがどの程度の割合まで増加したかを判断する（Ｓ５０３）。本実施形態の場合、例えば、任意の階調におけるＬＵＴ３の輝度に対して１１０％まで発光デューティが増加しているか否かを判断する。発光デューティが１１０％まで増加していないと判断された場合、再度ステップＳ５０１に戻る。発光デューティが１１０％まで増加したと判断された場合は、例えば、図１１に示す点Ｐ６から点Ｐ５に輝度が変更されていることになる。このとき、点Ｐ５はＬ３ｕ上及びＬ２ｄに近い位置に存在する点である。即ち、点Ｐ５は、ＬＵＴ２の輝度を基準にして９０％の輝度に近い点に位置している。ここで、ＬＵＴ選択回路８により現在ＬＵＴをＬＵＴ２に変更すると共に、発光デューティ制御回路１１により発光デューティを９０％に設定変更する（Ｓ５０４）。更に、点Ｐ５をＬＵＴ２の階調輝度特性に近付けるように発光デューティを１％増加させる（Ｓ５０５）。続いて、ＶＳＹＮＣを検出したか否かを判断する（Ｓ５０６）。ＶＳＹＮＣが検出されなかった場合には、再度ＶＳＹＮＣを検出するまでステップＳ５０６を繰り返す。ＶＳＹＮＣを検出した場合には、発光デューティがＬＵＴ２の任意の階調における輝度と一致したか否か、即ち発光デューティが１００％になるまで増加したか否かを判断する（Ｓ５０７）。この状態で、点Ｐ６はＬＵＴ２上の点Ｐ４に移動している。このようなステップを経ることによってＬＵＴ３がＬＵＴ２に滑らかに変更され、ＬＵＴ３によって階調輝度特性が補正された第１表示画像と、ＬＵＴ２で階調輝度特性が補正される第２表示画像とが、例えば、明るさが大きく変化することなく滑らかに表示される。更に、現在ＬＵＴが目標ＬＵＴに一致したかどうかを判断するために、図５に示すステップＳ１０５へ戻る。
【００６３】
以上の結果、動画像を構成する表示画像を連続して表示する際に、これら表示画像間で明るさに大きな差を生じさせることなく自然に動画像が表示される。
【００６４】
（電子機器）
次に、上述した有機ＥＬ表示装置１を備えた各種電子機器について説明する。
【００６５】
＜Ａ：モバイル型コンピュータ＞
図１２を参照しながらモバイル型のパーソナルコンピュータに上述した有機ＥＬ装置の一例である有機ＥＬ表示装置１を適用した例について説明する。図１２は、コンピュータ１２００の構成を示す斜視図である。
【００６６】
図１２において、コンピュータ１２００は、キーボード１２０２を備えた本体部１２０４と、図示しない有機ＥＬ表示装置１を用いて構成された表示部１００５を有する表示ユニット１２０６とを備えている。表示部１００５は、表示画像に適切なＬＵＴを選択することに加え、動画像を構成する表示画像の階調輝度特性が画素部の発光デューティの制御によって補正されるため、高品質の動画像を表示できる。特に、大量の画像データを高速で送受信可能とする技術の発達に伴い、動画像に対する需要も高まっている。そこで、本例に係るモバイル型コンピュータによれば、時や場所に制約されることなく高品質の動画像を表示できる。更に、コンピュータ１２００は、簡便な駆動回路で高品質の動画像を表示できるため、携帯性を損なうことない。また、表示部１００５が備える複数の有機ＥＬディスプレイ基板に赤、緑、青の光の三原色の光を発光する有機ＥＬ素子を形成しておくことによって、該表示部１００５はフルカラー表示で画像表示を行うことができる。
【００６７】
＜Ｂ：携帯型電話機＞
更に、上述した有機ＥＬ表示装置１を携帯型電話機に適用した例について、図１３を参照して説明する。図１３は、携帯型電話機１３００の構成を示す斜視図である。
【００６８】
図１３において、携帯型電話機１３００は、複数の操作ボタン１３０２と共に、本発明の一実施形態である有機ＥＬ表示装置１を有する表示部１３０５を備えるものである。
【００６９】
表示部１３０５は、上述の表示部１００５と同様の駆動回路によって駆動されるため、高品質の動画像を表示できることに加え、携帯型電話機として重要な携帯性が損なわれることもない。また、表示部１３０５が備える複数の有機ＥＬ素子が夫々赤、緑、青の光の三原色の光を発光することによって、該表示部１３０５はフルカラー表示で画像表示を行うこともできる。
【００７０】
尚、本発明は、上述した実施例に限られるものではなく、請求の範囲及び明細書全体から読み取れる発明の要旨或いは思想に反しない範囲で適宜変更可能であり、そのような変更を伴う電気光学装置の駆動回路及び方法、並びにこれを備えた有機ＥＬ表示装置等の電気光学装置、有機ＥＬ表示装置等を備えて構成される電子機器もまた本発明の技術的範囲に含まれるものである。
【図面の簡単な説明】
【００７１】
【図１】本実施形態に係る有機ＥＬ表示装置の構成を示すブロック図である。
【図２】本実施形態に係る有機ＥＬ表示装置が備える画素部の構成を示す回路図である。
【図３】本実施形態の画素部に供給される選択表示信号のタイミングチャートの一例である。
【図４】発光デューティを制御する際の選択表示信号の推移の一例を示すタイミングチャートである。
【図５】本実施形態に係る有機ＥＬ表示装置の駆動方法の一連の処理ルーチンを示すフローチャート（その１）である。
【図６】本実施形態に係る有機ＥＬ表示装置の駆動方法の一連の処理ルーチンを示すフローチャート（その２）である。
【図７】本実施形態に係る有機ＥＬ表示装置の駆動方法の一連の処理ルーチンを示すフローチャート（その３）である。
【図８】本実施形態に係る有機ＥＬ表示装置の駆動方法の一連の処理ルーチンを示すフローチャート（その４）である。
【図９】ルックアップテーブルを選択する際に参照される階調分布の夫々一例を示すグラフである。
【図１０】ルックアップテーブルの階調輝度特性の一例を示すグラフである。
【図１１】ルックアップテーブルの階調輝度特性の一例を示すグラフである。
【図１２】本実施形態に係る電子機器の一例を示す斜視図である。
【図１３】本実施形態に係る電子機器の他の例を示す斜視図である。
【符号の説明】
【００７２】
１・・・有機ＥＬ表示装置、２・・・表示パネル部、３・・・走査線駆動回路、４・・・データ線駆動回路、５・・・ＩＦ回路、６・・・表示画像用メモリ、７・・・ＬＵＴ記憶回路、８・・・ＬＵＴ選択回路、９・・・Ｄ／Ａ変換器、１０・・・表示画像特徴検出回路、１１・・・発光デューティ制御回路、１２・・・ＣＰＵ
【図１】
2006145718.tif 000003
【図２】
2006145718.tif 000004
【図３】
2006145718.tif 000005
【図４】
2006145718.tif 000006
【図５】
2006145718.tif 000007
【図６】
2006145718.tif 000008
【図７】
2006145718.tif 000009
【図８】
2006145718.tif 000010
【図９】
2006145718.tif 000011
【図１０】
2006145718.tif 000012
【図１１】
2006145718.tif 000013
【図１２】
2006145718.tif 000014
【図１３】
2006145718.tif 000015